(57)【要約】【課題】製造コストを低廉に抑えることができ、放熱性に優れ、なおかつ軽量な構成を実現可能な新規な投光器のフレーム構造、及び、それを備える投光器を提案する。【解決手段】  第一フレーム５１と、第一フレーム５１の外側に第一フレーム５１と略平行に設けられる第二フレーム５２と、を有し、第二フレーム５２は、それぞれＬＥＤ照明基板４２を付設するための複数の付設面部５３と、それぞれ第一フレーム５１と接触するための複数の接触部５４と、を有し、ＬＥＤ照明基板４２の発熱が、付設面部５３、接触部５４を通じて第一フレーム５１へと伝達される、投光器のフレーム構造とする。【選択図】図３
2019129133.tif 000002
【特許請求の範囲】
【請求項１】
第一フレームと、
前記第一フレームの外側に前記第一フレームと略平行に設けられる第二フレームと、
を有し、
前記第二フレームは、
それぞれＬＥＤ照明基板を付設するための複数の付設面部と、
それぞれ前記第一フレームと接触するための複数の接触部と、を有し、
ＬＥＤ照明基板の発熱が、前記付設面部、前記接触部を通じて前記第一フレームへと伝達される、
投光器のフレーム構造。
【請求項２】
前記第一フレーム、及び、前記第二フレームは、金属にて構成される、
ことを特徴とする請求項１に記載の投光器のフレーム構造。
【請求項３】
前記第一フレームは中空の棒状部材であって、
前記第二フレームは、前記第一フレームと同軸上に配置され、前記付設面部を前記第一フレームの周囲を取り囲むように配置される、
ことを特徴とする請求項１又は請求項２に記載の投光器のフレーム構造。
【請求項４】
前記各付設面部は、前記第一フレームの長手方向に長い板状に構成され、
前記第二フレームは、多面筒状に構成され、
前記接触部は、前記多面筒状の内周面側から前記第一フレームの外周面側に向かって延びる複数の板状部位と、前記第一フレームの外周面に当接する当接部と、を有する、
ことを特徴とする請求項１乃至請求項３のいずれか一項に記載の投光器のフレーム構造。
【請求項５】
前記当接部の少なくとも一つは、前記第一フレームの外周面に沿う形状の固定面部にて構成されるとともに、固定具により前記第一フレームに固定される、
ことを特徴とする請求項４に記載の投光器のフレーム構造。
【請求項６】
前記第二フレームの周面には、
当該周面の外側から前記当接部に通じるための少なくとも一つの開放部が形成される、
ことを特徴とする請求項５に記載の投光器のフレーム構造。
【請求項７】
請求項１乃至請求項６のいずれか一項に記載の投光器のフレーム構造を備える投光器。
【請求項８】
第二フレームの外周から離れた部分に、乳白色の筒状のシェードを有する、
ことを特徴とする請求項７に記載の投光器。
【発明の詳細な説明】
【技術分野】
【０００１】
本発明は、ＬＥＤ照明を備える投光器に関するものであり、より詳しくは、ＬＥＤ照明を構成するためのフレーム構造に関する。
【背景技術】
【０００２】
従来、ＬＥＤ照明を備える柱状の投光器が知られており、例えば、特許文献１では、ＬＥＤ照明を周囲に配設する筒状パイプ型の照明装置取付体の内部に、放熱用部材を注入する構成を開示している。
【０００３】
この特許文献１からも明らかなように、ＬＥＤ照明を備える投光器においては、ＬＥＤ照明の発熱の解消が重要な課題となるものである。
【先行技術文献】
【特許文献】
【０００４】
【特許文献１】実用新案登録第３１５９３８４号明細書
【発明の概要】
【発明が解決しようとする課題】
【０００５】
特許文献１に開示されるような構成では、放熱用部材の例として、「融点が０〜１３０℃の範囲で異なっている複数の潜熱蓄熱材と、熱伝導用粉末と、前記両者を混入する液体」からなるものを挙げているが、このような液体を含む構成では、その製造工程の管理が難しく製造コストが高くなってしまうことが懸念される。また、照明装置全体としての重量が重くなってしまい、持ち運びや移動に不便であることも考えられる。
【０００６】
そこで、本発明は、以上問題に鑑み、製造コストを低廉に抑えることができ、放熱性に優れ、３６０°にムラなく点灯し、なおかつ軽量な構成を実現可能な新規な投光器のフレーム構造、及び、それを備える投光器を提案するものである。
【課題を解決するための手段】
【０００７】
本発明の解決しようとする課題は以上の如くであり、次にこの課題を解決するための手段を説明する。
【０００８】
即ち、
第一フレームと、
第一フレームの外側に第一フレームと略平行に設けられる第二フレームと、
を有し、
第二フレームは、
それぞれＬＥＤ照明基板を付設するための複数の付設面部と、
それぞれ第一フレームと接触するための複数の接触部と、を有し、
ＬＥＤ照明基板の発熱が、付設面部、接触部を通じて第一フレームへと伝達される、
投光器のフレーム構造とするものである。
【０００９】
また、好ましくは、
第一フレーム、及び、第二フレームは、金属にて構成される、
こととするものである。
【００１０】
また、好ましくは、
第一フレームは中空の棒状部材であって、
第二フレームは、第一フレームと同軸上に配置され、付設面部を第一フレームの周囲を取り囲むように配置される、
こととするものである。
【００１１】
また、好ましくは、
各付設面部は、第一フレームの長手方向に長い板状に構成され、
第二フレームは、多面筒状に構成され、
接触部は、多面筒状の内周面側から第一フレームの外周面側に向かって延びる複数の板状部位と、第一フレームの外周面に当接する当接部と、を有する、
こととするものである。
【００１２】
また、好ましくは、
当接部の少なくとも一つは、第一フレームの外周面に沿う形状の固定面部にて構成されるとともに、固定具により第一フレームに固定される、
こととするものである。
【００１３】
また、好ましくは、
第二フレームの周面には、
当該周面の外側から当接部に通じるための少なくとも一つの開放部が形成される、
こととするものである。
【００１４】
また、好ましくは、上記の投光器のフレーム構造を備える投光器とするものである。
【００１５】
また、好ましくは、
第二フレームを含む柱上フレームの外周から離れた部分に、乳白色の筒状のシェードを有することとするものである。
【発明の効果】
【００１６】
本発明の効果として、以下に示すような効果を奏する。
【００１７】
即ち、本願発明の構成によれば、製造コストを低廉に抑えることができ、放熱性に優れ、なおかつ軽量な構成を実現可能な投光器のフレーム構造を実現することができる。
【００１８】
また、熱伝導率の高い金属を用いることで、ＬＥＤ照明基板に生じた熱を効率よく第一フレーム、第二フレームに伝達させることができ、放熱性に優れた構成を実現できる。具体的には、例えば、第一フレーム、第二フレームをアルミにて構成することができ、これによれば、軽量化を図ることが可能となる。また、アルミを用いることによれば、押出成形により所望の形状を実現することができ、また、長手方向の長さ設定により大型、小型の投光器のサイズに対応することが可能となることから、製造コストを低廉に抑えることができる。
【００１９】
また、第一フレームを中空のパイプ形状とすることでフレーム全体の軽量化を図ることができ、当該中空部に図示せぬ支柱を挿入して投光器全体を支持する構成とすることもできる。また、第二フレームを第一フレームを同軸上に配置することで、第二フレームを第一フレームにてバランスよく支持する構成を実現できる。
【００２０】
また、第二フレームを多面筒状に構成することで、全方位（３６０°）を投光可能な構成を実現することができるとともに、接触部を通じて付設面部の熱を効率よく放熱することができる。
【００２１】
また、他の固定金具を用いることなく、第二フレームを第一フレームに直接的に固定することができ、部品点数を削減することができると共に、第一フレームと第二フレームの間で広い接触面積を確保することができ、第二フレームから第一フレームへ効率よく熱を逃がすことが可能となる。
【００２２】
また、開放部を通じて第二フレームの当接部を第一フレームに固定するための固定具を留め付けることができ、第一フレームに対する第二フレームの固定作業を容易に行うことができる。また、アルミ押出成形により第二フレームを構成することによれば、第二フレームに固定具を挿通させるための穴加工を必要とすることなく開放部を構成することが可能となり、製造コストを安価に抑えることが可能となる。
【００２３】
また、本願発明のフレーム構造を用いることにより、製造コストを低廉に抑えることができ、放熱性に優れ、なおかつ軽量な構成を実現可能な投光器を実現することができる。
【００２４】
また、第二フレームの外周に距離をとってシェードを構成することで、全方位（３６０°）にムラの無い光を投光可能な構成を実現することができるとともに、シェード内部の度熱がこもることを防ぐことも出来る。
【図面の簡単な説明】
【００２５】
【図１】（Ａ）（Ｂ）は、本発明の一実施例に係るフレーム構造、及び、投光器の全体構造である。
【図２】（Ａ）はＬＥＤ発光部の配置について説明する図、（Ｂ）は柱状フレームとシェードの距離について説明する図である。
【図３】本発明の一実施例に係るフレーム構造の水平断面図である。
【発明を実施するための形態】
【００２６】
以下、本発明について図面を用いて具体的に説明するが、本発明は、以下に説明する具体的事例に限定されるものではない。
図１（Ａ）（Ｂ）は本発明の一実施例に係るフレーム構造、及び、投光器の全体構造について示すものであり、以下の説明では、便宜のため図１において紙面左右方向を左右、上下方向を上下として位置関係を表現するものとする。
【００２７】
図１（Ａ）（Ｂ）に示すように、投光器１は、下部ベース２と、下部ベース２に立設される柱状フレーム４と、柱状フレーム４を取り囲む筒状のシェード６と、シェード６の上部に取り付けられる上蓋部材８と、を有して構成される。
【００２８】
下部ベース２は、有底の皿状の部材にて構成されるものであり、投光器１全体を自立させ得る構成としている。下部ベース２からは図示せぬ電源コードが伸び出されるようになっている。なお、投光器１は自立する構成とする他、後述する第一フレーム５１（図３）に支柱を挿入させて立設させる構成とすることもできる。
【００２９】
下部ベース２の上には、柱状フレーム４が立設される。柱状フレーム４の周面には、上下方向に帯状のＬＥＤ照明基板４２が敷設されており、各ＬＥＤ照明基板４２には、所定の間隔でＬＥＤ発光部４４が配設される。
【００３０】
図２（Ａ）（Ｂ）に示すように、下部ベース２を覆うシェード６は、その筒内部に柱状フレーム４を収めるものであり、シェード６と筒内部の柱状フレーム４の距離Ｂ（シェード６の内壁面とＬＥＤ発光部４４の表面の間の距離）は、所定の間隔Ａで配設されたＬＥＤ発光部４４の間隔Ａの１．５倍以上となるように構成され、ＬＥＤ発光部４４が発する光を外部に透過させる透光性を有する構成とするものである。
【００３１】
図１に示すように、シェード６の下側の端部は、柱状フレーム４と同様に下部ベース２に支えられるとともに、シェード６の下側の端部の開口が下部ベース２によって閉じられる。
【００３２】
シェード６の上側の端部の開口部は、上蓋部材８が取り付けられることによって、蓋をされるようにして閉じられる。
【００３３】
図３は、図１（Ａ）のＢ−Ｂ線断面図であり、本発明の一実施例に係るフレーム構造の水平断面図である。
この図３に示すように、柱状フレーム４は、第一フレーム５１と、第一フレーム５１の外側に第一フレーム５１と略平行に設けられる第二フレーム５２と、を有して構成される。
【００３４】
本実施例では、第一フレーム５１は円筒状（パイプ形状）の金属部材で構成され、その第一フレーム５１と同軸上に第二フレーム５２が設けられる。第一フレーム５１の直径（外径）は、例えば、２５ｍｍ以上とすることができる。
【００３５】
第二フレーム５２は、断面視において、その周面が正多角形をなすように構成されており、本実施例では正八角形をなすこととしている。この正八角形の各面は、ＬＥＤ照明基板４２を付設するための複数の付設面部５３としての機能を果たすものである。付設面部５３の幅は、例えば、８ｍｍ〜３０ｍｍとすることができる。
【００３６】
なお、正八角形とする他、四角形、正五角形、正六角形などとすることも可能であり、特に角数（付設面部５３の数）については限定されるものではないが、３６０度の全方位に均等な投光を実現する投光器においては、本実施例のように、正八角形とすることが好ましいものと考えられる。
【００３７】
さらに、第二フレーム５２の断面形状は、例えば、円形としてもよく、複数の付設面部５３を構成できるものであれば、多角形以外の他の形状を採用することも考えられる。
【００３８】
付設面部５３の内側の位置には、複数の板状部位５４ａが設けられ、板状部位５４ａの先端部が第一フレーム５１の外周面に当接する当接部５４ｂ，５４ｃとして構成されている。本実施例では６箇所の板状部位５４ａが設けられており、各板状部位５４ａが放射状に配置される構成としている。そして、これら板状部位５４ａと、当接部５４ｂ，５４ｃにより、第二フレーム５２を第一フレーム５１に接触させるための接触部５４が構成される。また、このような構成により、当接部５４ｂ，５４ｃは、第二フレーム５２の第一フレーム５１に対するガイド部としても機能することができる。
【００３９】
また、板状部位５４ａのうち、二つの先端部に形成される当接部５４ｂは、板状部位５４ａの先端の幅を広くすることで構成されており、第一フレーム５１の外周面に沿って接触するように、その側面が円弧状をなすように構成されている。
【００４０】
板状部位５４ａのうち、二組の板状部位５４ａの先端部同士は接続され、円弧板状の当接部５４ｃが形成される。この当接部５４ｃには、第一フレーム５１に対し第二フレーム５２を連結するためのビス等の固定具５５が挿入され、第一フレーム５１と第二フレーム５２を固定できるようになっている。
【００４１】
なお、このような固定具５５を用いてフレーム同士を固定する構成とする他、両フレームにスライド溝を形成して両者をスライドさせて嵌め合わせる構成としてもよい。
【００４２】
また、第二フレーム５２には、複数個所に下部ベース２や上蓋部材８を固定するためのビス等の挿入するための固定用孔５６が形成されており、第二フレーム５２に対し図１（Ａ）（Ｂ）に示す下部ベース２や上蓋部材８を容易に固定できるようにしている。
【００４３】
以上のようにして本願発明を実施することができる。
即ち、図１（Ａ）（Ｂ）及び図３に示すように、
第一フレーム５１と、
第一フレーム５１の外側に第一フレーム５１と略平行に設けられる第二フレーム５２と、
を有し、
第二フレーム５２は、
それぞれＬＥＤ照明基板４２を付設するための複数の付設面部５３と、
それぞれ第一フレーム５１と接触するための複数の接触部５４と、を有し、
ＬＥＤ照明基板４２の発熱が、付設面部５３、接触部５４を通じて第一フレーム５１へと伝達される、
投光器のフレーム構造とするものである。
【００４４】
これにより、製造コストを低廉に抑えることができ、放熱性に優れ、なおかつ軽量な構成を実現可能な投光器のフレーム構造を実現することができる。
【００４５】
また、好ましくは、
第一フレーム５１、及び、第二フレーム５２は、金属にて構成される、
こととするものである。
【００４６】
これにより、熱伝導率の高い金属を用いることで、ＬＥＤ照明基板に生じた熱を効率よく第一フレーム５１、第二フレーム５２に伝達させることができ、放熱性に優れた構成を実現できる。具体的には、例えば、第一フレーム５１、第二フレーム５２をアルミにて構成することができ、これによれば、軽量化を図ることが可能となる。また、アルミを用いることによれば、押出成形により所望の形状を実現することができ、また、長手方向の長さ設定により大型、小型の投光器のサイズに対応することが可能となることから、製造コストを低廉に抑えることができる。
【００４７】
また、好ましくは、
第一フレーム５１は中空の棒状部材（パイプ形状）であって、
第二フレーム５２は、第一フレーム５１と同軸上に配置され、付設面部５３を第一フレーム５１の周囲を取り囲むように配置される、
こととするものである。
【００４８】
このように、第一フレーム５１を中空のパイプ形状とすることでフレーム全体の軽量化を図ることができ、当該中空部に図示せぬ支柱を挿入して投光器全体を支持する構成とすることもできる。また、第二フレーム５２を第一フレーム５１を同軸上に配置することで、第二フレーム５２を第一フレーム５１にてバランスよく支持する構成を実現できる。
【００４９】
また、好ましくは、
各付設面部５３は、第一フレーム５１の長手方向に長い板状に構成され、
第二フレーム５２は、多面筒状に構成され、
接触部５４は、多面筒状の内周面側から第一フレーム５１の外周面側に向かって延びる複数の板状部位５４ａと、第一フレーム５１の外周面に当接する当接部５４ｂ，５４ｃと、を有する、
こととするものである。
【００５０】
このように、第二フレーム５２を多面筒状に構成することで、全方位（３６０°）を投光可能な構成を実現することができるとともに、接触部５４を通じて付設面部５３の熱を効率よく放熱することができる。
【００５１】
また、好ましくは、
当接部５４ｃの少なくとも一つは、第一フレーム５１の外周面に沿う形状の固定面部にて構成されるとともに、固定具５５により第一フレーム５１に固定される、
こととするものである。
【００５２】
これにより、他の固定金具を用いることなく、第二フレーム５２を第一フレーム５１に直接的に固定することができ、部品点数を削減することができると共に、第一フレーム５１と第二フレーム５２の間で広い接触面積を確保することができ、第二フレーム５２から第一フレーム５１へ効率よく熱を逃がすことが可能となる。
【００５３】
また、好ましくは、
第二フレーム５２の周面には、
当該周面の外側から当接部５４ｃに通じるための少なくとも一つの開放部５８が形成される、
こととするものである。
【００５４】
これにより、開放部５８を通じて第二フレーム５２の当接部５４ｃを第一フレーム５１に固定するための固定具５５を留め付けることができ、第一フレーム５１に対する第二フレーム５２の固定作業を容易に行うことができる。また、アルミ押出成形により第二フレーム５２を構成することによれば、第二フレーム５２に固定具５５を挿通させるための穴加工を必要とすることなく開放部５８を構成することが可能となり、製造コストを安価に抑えることが可能となる。
【００５５】
また、好ましくは、上記の投光器のフレーム構造を備える投光器とするものである。
【００５６】
本願発明のフレーム構造を用いることにより、製造コストを低廉に抑えることができ、放熱性に優れ、なおかつ軽量な構成を実現可能な投光器を実現することができる。
【００５７】
また、好ましくは、
第二フレーム５２を含む柱状フレーム４の外周から離れた部分に、乳白色の筒状のシェード６を有することとする。
【００５８】
このように、第二フレーム５２を含む柱状フレーム４の外周に距離をとってシェード６を構成することで、全方位（３６０°）にムラの無い光を投光可能な構成を実現することができるとともに、シェード６内部の度熱がこもることを防ぐことも出来る。
【００５９】
なお、以上の実施例では、自立式（スタンド型）の全方位の投光器の例を用いて説明したが、水平方向に長く構成される投光器のフレームや、杭部分を地中に埋め込んで設置するガーデンライトのフレームとしても用いることができるものである。
【産業上の利用可能性】
【００６０】
本発明は、ＬＥＤ照明を利用した投光器に用いられるフレーム構造として幅広く利用できるものである。
【符号の説明】
【００６１】
１    投光器
２    下部ベース
４    柱状フレーム
６    シェード
８    上蓋部材
４２    照明基板
４４    発光部
５１    第一フレーム
５２    第二フレーム
５３    付設面部
５４    接触部
５４ａ    板状部位
５４ｂ    当接部
５４ｃ    当接部
５５    固定具
５６    固定用孔
５８    開放部
【図１】
2019129133.tif 000003
【図２】
2019129133.tif 000004
【図３】
2019129133.tif 000005